(57)【特許請求の範囲】
【請求項１】
緊急時回収用索体を接続し且つ中空部を有する拡縮自在な弾性材からなる洗浄用部材を、上流の発進側分岐管内から本管内へ挿入し、
本管内に流体を流すことにより、洗浄用部材を移送するとともに緊急時回収用索体を外部から発進側分岐管内に送り出しながら、本管内面を洗浄用部材で洗浄し、
本管内において洗浄用部材が下流の到達側分岐管に到達する前に、緊急時回収用索体の送出速度の低下によって洗浄用部材が破裂したことを検知した場合、緊急時回収用索体を発進側分岐管内から外部へ引き戻すことにより、洗浄用部材を本管内から発進側分岐管内に引き戻して回収することを特徴とする管内面の洗浄方法。
【請求項２】
洗浄用部材が破裂した場合、流体を本管内から発進側分岐管内に流して発進側分岐管内から外部へ排出することにより、本管内の流体圧を利用して、発進側分岐管内の洗浄用部材を抜出方向へ押すことを特徴とする請求項１記載の管内面の洗浄方法。
【請求項３】
上記請求項１又は請求項２に記載の管内面の洗浄方法に使用される緊急時回収用治具であって、
緊急時回収用索体を巻き取る巻取機能と送り出す送出機能とを有する巻取り送出し装置と、発進側分岐管に着脱自在な治具本体とが具備されており、
治具本体は発進側分岐管内に挿入可能な管部材を有し、
緊急時回収用索体が巻取り送出し装置から管部材内を通って洗浄用部材に接続され、
本管内の洗浄用部材を発進側から到達側に移送する場合、緊急時回収用索体を巻取り送出し装置から送り出し、
本管内の洗浄用部材を発進側分岐管に引き戻す場合、緊急時回収用索体を巻取り送出し装置で巻き取ることを特徴とする緊急時回収用治具。
【発明の詳細な説明】
【技術分野】
【０００１】
本発明は、例えば水道管等の管内面の洗浄方法および緊急時回収用治具に関する。
【背景技術】
【０００２】
従来、この種の管内面の洗浄方法については、例えば、図２４に示すように、水道管１０１の上流側の開閉弁１０２と下流側の開閉弁１０３とを閉じて、水道管１０１の所定領域１０４の流れを遮断し、この状態で、拡縮自在な洗浄用ピグ１０５を上流の発進側分岐管１０６内から水道管１０１内へ挿入し、その後、上流側の開閉弁１０２を開いて水道管１０１内に通水し、洗浄用ピグ１０５を水道管１０１内の下流側へ移送しながら、水道管１０１の内面を洗浄用ピグ１０５で洗浄し、洗浄後、洗浄用ピグ１０５を下流の到達側分岐管１０７内から回収する洗浄方法が知られている（下記特許文献１参照）。また、拡縮自在な洗浄用ピグ１０５としては、内部に中空部を有する圧縮変形自在なゴム製の球形状のものが知られている（下記特許文献２参照）。
【０００３】
発進側および到達側分岐管１０６，１０７の各内径は水道管１０１の内径よりも小径であり、上記のような洗浄方法では、洗浄用ピグ１０５は、発進側分岐管１０６内において縮径し、発進側分岐管１０６内から水道管１０１内に挿入されると拡径し、水道管１０１内から到達側分岐管１０７内に取り込まれると縮径される。
【先行技術文献】
【特許文献】
【０００４】
【特許文献１】特開２００９−６６５２２
【特許文献２】特開２００１−８７７２７
【発明の概要】
【発明が解決しようとする課題】
【０００５】
しかしながら上記の従来形式において、洗浄用ピグ１０５を発進側分岐管１０６から水道管１０１内に挿入した後、水道管１０１内において洗浄用ピグ１０５が到達側分岐管１０７に到達する前に、洗浄用ピグ１０５が破裂する等の異常事態が発生した場合、洗浄用ピグ１０５（洗浄用部材）を水道管１０１内から回収することが困難であるという問題がある。
【０００６】
本発明は、洗浄時に洗浄用部材が破裂した場合、洗浄用部材を容易に回収することが可能な管内面の洗浄方法および緊急時回収用治具を提供することを目的とする。
【課題を解決するための手段】
【０００７】
上記目的を達成するために、本第１発明における管内面の洗浄方法は、緊急時回収用索体を接続し且つ中空部を有する拡縮自在な弾性材からなる洗浄用部材を、上流の発進側分岐管内から本管内へ挿入し、
本管内に流体を流すことにより、洗浄用部材を移送するとともに緊急時回収用索体を外部から発進側分岐管内に送り出しながら、本管内面を洗浄用部材で洗浄し、
本管内において洗浄用部材が下流の到達側分岐管に到達する前に、緊急時回収用索体の送出速度の低下によって洗浄用部材が破裂したことを検知した場合、緊急時回収用索体を発進側分岐管内から外部へ引き戻すことにより、洗浄用部材を本管内から発進側分岐管内に引き戻して回収するものである。
【０００８】
これによると、洗浄用部材が本管内面を洗浄している際、洗浄用部材が破裂した場合、緊急時回収用索体を発進側分岐管内から外部へ引き戻すことにより、洗浄用部材が本管内から発進側分岐管内に引き戻されて回収される。これにより、洗浄用部材を容易に回収することができる。
【００１１】
本第２発明における管内面の洗浄方法は、洗浄用部材が破裂した場合、流体を本管内から発進側分岐管内に流して発進側分岐管内から外部へ排出することにより、本管内の流体圧を利用して、発進側分岐管内の洗浄用部材を抜出方向へ押すものである。
【００１２】
これによると、緊急時回収用索体を発進側分岐管内から外部へ引き戻す際、発進側分岐管内の洗浄用部材が流体圧によって抜出方向へ押されるため、洗浄用部材を発進側分岐管から容易に抜き出すことが可能である。
【００１３】
本第３発明は、上記第１発明又は第２発明に記載の管内面の洗浄方法に使用される緊急時回収用治具であって、
緊急時回収用索体を巻き取る巻取機能と送り出す送出機能とを有する巻取り送出し装置と、発進側分岐管に着脱自在な治具本体とが具備されており、
治具本体は発進側分岐管内に挿入可能な管部材を有し、
緊急時回収用索体が巻取り送出し装置から管部材内を通って洗浄用部材に接続され、
本管内の洗浄用部材を発進側から到達側に移送する場合、緊急時回収用索体を巻取り送出し装置から送り出し、
本管内の洗浄用部材を発進側分岐管に引き戻す場合、緊急時回収用索体を巻取り送出し装置で巻き取るものである。
【００１４】
これによると、本管内に流体を流すことにより、洗浄用部材が本管内を移送しながら本管内面を洗浄する。この際、洗浄用部材の移送と共に、巻取り送出し装置によって緊急時回収用索体を送り出す。また、洗浄用部材が本管内面を洗浄している際、洗浄用部材が破裂した場合、巻取り送出し装置によって緊急時回収用索体を巻き取る。これにより、洗浄用部材が本管内から発進側分岐管内に引き戻されて回収される。
【発明の効果】
【００１５】
以上のように本発明によると、洗浄時に洗浄用部材が破裂した場合、洗浄用部材を容易に回収することができる。
【図面の簡単な説明】
【００１６】
【図１】本発明の実施の形態における水道管およびその付帯設備の図である。
【図２】同、洗浄装置を用いて水道管を洗浄している状態を示す図である。
【図３】同、水道管内の洗浄に用いる洗浄用ボールの断面図である。
【図４】同、水道管内の洗浄に用いる緊急時回収用治具の側面図である。
【図５】同、水道管内の洗浄に用いる緊急時回収用治具の平面図である。
【図６】同、水道管内の洗浄に用いる緊急時回収用治具と発進側分岐管との連結部分の拡大断面図である。
【図７】同、水道管内の洗浄に用いる緊急時回収用排水手段に取り付けられるフランジ蓋の断面図である。
【図８】同、水道管内の洗浄方法を示す図であり、洗浄用ボールを水道管内に挿入する行程を示す。
【図９】同、水道管内の洗浄方法を示す図であり、洗浄用ボールを膨らます行程を示す。
【図１０】同、水道管内の洗浄方法を示す図であり、洗浄用ボールを所定距離だけ下流側へ移動させる行程を示す。
【図１１】同、水道管内の洗浄方法を示す図であり、水道管から発進側の接続短管の上端までの高さを測定する行程を示す。
【図１２】同、水道管内の洗浄方法を示す図であり、緊急時回収用紐の第二の紐を滑車に掛けてセットする行程を示す。
【図１３】同、水道管内の洗浄方法を示す図であり、緊急時回収用紐の第一の紐と第二の紐を連結する行程を示す。
【図１４】同、水道管内の洗浄方法を示す図であり、緊急時回収用治具の第一治具本体を発進側分岐管内に挿入する行程を示す。
【図１５】同、水道管内の洗浄方法を示す図であり、緊急時回収用治具の第一治具本体に第二治具本体を取り付ける行程を示す。
【図１６】同、水道管内の洗浄方法を示す図であり、緊急時回収用治具の固定台を設置する行程を示す。
【図１７】同、水道管内の洗浄方法を示す図であり、洗浄用ボールが捕捉用治具で捕捉された状態を示す。
【図１８】同、水道管内の洗浄方法を示す図であり、銛で洗浄用ボールを破裂させる行程を示す。
【図１９】同、水道管内の洗浄方法を示す図であり、銛を用いて洗浄用ボールを引上げて回収する行程を示す。
【図２０】同、水道管内の洗浄方法を示す図であり、異常事態が発生して、緊急時回収用治具を用いて洗浄用ボールを発進側の縦管まで引き戻す行程を示す。
【図２１】同、水道管内の洗浄方法を示す図であり、緊急時回収用治具を撤去する行程を示す。
【図２２】同、水道管内の洗浄方法を示す図であり、緊急時回収用排水手段を取り付ける行程を示す。
【図２３】同、水道管内の洗浄方法を示す図であり、洗浄用ボールを引上げて回収する行程を示す。
【図２４】従来の水道管内の洗浄方法を説明する図である。
【発明を実施するための形態】
【００１７】
以下、本発明における実施の形態を、図面を参照して説明する。
図１に示すように、１は地中に埋設された水道管（本管の一例）であり、水道管１には上流側の開閉弁２と下流側の開閉弁３とが設けられている。尚、図面において、各開閉弁２，３が閉じている場合は黒塗りで表示し、開いている場合は白抜きで表示する。
【００１８】
両開閉弁２，３間は、水道管１内を洗浄する際に断水する断水区間４である。断水区間４には上流の発進側消火栓部５と下流の到達側消火栓部６とが設けられている。両消火栓部５，６は、水道管１の管頂部から上向きに分岐した縦管７，８と、縦管７，８の上端に接続されたボール式等の補修弁９，１０と、補修弁９，１０の上端に接続された消火栓１１，１２とを有している。
【００１９】
消火栓部５，６はそれぞれ、地中に掘られた消火栓部収納用空間１３，１４内に収納されている。尚、縦管７，８の内径は水道管１の内径よりも小さい。また、消火栓部収納用空間１３，１４の上面開口部は着脱自在な蓋１５，１６で閉じられている。また、両消火栓部５，６間は、水道管１内を洗浄する際の洗浄対象区間１７である。
【００２０】
図２に示すように、２１は水道管１の洗浄対象区間１７を洗浄する洗浄装置である。この洗浄装置２１は、拡縮自在な洗浄用ボール２２（洗浄用部材の一例）と、接続短管２３，２４と、通常時排水手段２６と、水道管１内で洗浄用ボール２２を捕捉する捕捉用治具２７と、捕捉された洗浄用ボール２２を破裂させる銛２８（図１８参照）と、緊急時に洗浄用ボール２２を回収する緊急時回収用治具２９と、緊急時に洗浄用ボール２２を回収する際に使用される緊急時回収用排水手段３０（図２２参照）を有している。
【００２１】
図３に示すように、洗浄用ボール２２は、ゴム等の弾性材製で且つ内部に中空部３２を有する球体部３３と、球体部３３の外面を覆うスポンジ部３４と、外部から中空部３２に連通した注水口３５とを備えている。注水口３５には、中空部３２に水３７（流体の一例）を注入するための注水用ホース３６が着脱自在に接続される。尚、注水口３５には、注水口３５から中空部３２に注入された水３７が外部へ流出することを防止するバルブ等の逆流防止機構（図示省略）が備えられている。
【００２２】
また、洗浄用ボール２２には回収用誘導紐３８と緊急時回収用紐３９（緊急時回収用索体の一例）とが接続されている。回収用誘導紐３８は、水道管１内を流れる水Ｗ（流体の一例）の比重よりも小さな比重を有する材質（例えばビニールやナイロン等）でできている。
【００２３】
図２に示すように、発進側の接続短管２３は、上端開口部にフランジ２３ａを有しており、発進側の補修弁９の上端に着脱自在である。尚、発進側の縦管７と補修弁９と接続短管２３とによって発進側分岐管４１が構成される。また、到達側の接続短管２４は到達側の補修弁１０の上端に着脱自在である。
【００２４】
通常時排水手段２６は、到達側の接続短管２４の上端に着脱自在な排水用接続管４３と、排水用接続管４３に接続された排水用配管４４と、排水用配管４４を開閉する排水用弁４５とを有している。尚、排水用接続管４３は縦に接続したＴ字管であり、到達側の縦管８と補修弁１０と接続短管２４と排水用接続管４３とによって到達側分岐管４６が構成される。
【００２５】
図４，図５に示すように、緊急時回収用治具２９は、下側の第一治具本体５１と、上側の第二治具本体５２と、緊急時回収用紐３９を巻き取る巻取機能および送り出す送出機能を有する電動式リール装置５３（巻取り送出し装置の一例）と、電動式リール装置５３を支持固定する固定台５４とを有している。
【００２６】
第一治具本体５１は、発進側の接続短管２３の上部のフランジ２３ａに上方から着脱自在な取付用フランジ５６と、取付用フランジ５６から下向きに設けられた管部材５７とを有している。管部材５７は、取付用フランジ５６に設けられた上管部５７ａと、上管部５７ａの下方に設けられた下管部５７ｂと、上管部５７ａと下管部５７ｂとの間に接続された中継ぎ管部５７ｃとを有している。下管部５７ｂの下端には、緊急時回収用紐３９を案内する回転自在な下部滑車５８が設けられている。尚、中継ぎ管部５７ｃは、上管部５７ａおよび下管部５７ｂにそれぞれ着脱自在であり、全長の異なる複数種類のものが用意されている。これにより、中継ぎ管部５７ｃを交換することで、第一治具本体５１の長さＬを調節することが可能である。
【００２７】
図６に示すように、取付用フランジ５６は中央部に貫通孔５９を有しており、緊急時回収用紐３９は貫通孔５９から管部材５７内に導入される。尚、貫通孔５９の内部には、緊急時回収用紐３９と貫通孔５９の内周との間をシールするシール部材６０が設けられている。シール部材６０は取付用フランジ５６に螺合したねじ込み式のシール押え６１により上方から下向きに押圧されて圧縮されている。尚、緊急時回収用紐３９は取付用フランジ５６に対して長さ方向（上下方向）に移動自在である。
【００２８】
図４，図６，図１２に示すように、第二治具本体５２は、上下一対のフランジ６３，６４と、両フランジ６３，６４間に設けられた複数の支柱６５とを有している。このうち、下部のフランジ６３は、貫通孔６３ａを有しており、第一治具本体５１の取付用フランジ５６に上方から着脱自在である。また、上部のフランジ６４には、貫通孔６４ａと緊急時回収用紐３９を案内する回転自在な上部滑車６６とが設けられている。
【００２９】
電動式リール装置５３は、モータで作動するものであり、手動で作動するためのハンドル６７も備えられており、電動と手動とに切換え可能である。また、電動式リール装置５３には、緊急時回収用紐３９を送り出した際の送出距離を表示する表示部６８が設けられている。
【００３０】
固定台５４は、地面に設置されるベース体７０と、ベース体７０に昇降自在に設けられた支持フレーム７１と、支持フレーム７１に設けられた水平方向の複数の軸７２と、支持フレーム７１上に設けられた取付部材７３とを有している。
【００３１】
各軸７２は、支持フレーム７１に設けられた複数の円筒状の保持部材７４に挿通され、軸心方向Ａ（水平方向）に移動自在に保持されている。また、保持部材７４には、軸７２の軸心方向Ａへの移動を固定する固定用ねじ７５が設けられている。軸７２の先端には、第二治具本体５２の支柱６５を把持（クランプ）することにより支柱６５に接続可能な接続手段７６が設けられている。図５に示すように、接続手段７６は、軸７２の先端に取り付けられた一方の接続部材７６ａと、一方の接続部材７６ａに対して回動して開閉自在に設けられた他方の接続部材７６ｂと、他方の接続部材７６ｂを閉状態で固定するロック部材７７とを有している。図５の実線で示すように、他方の接続部材７６ｂを閉じて、支柱６５を両接続部材７６ａ，７６ｂ間に挟むことにより、図４に示すように、軸７２が接続手段７６を介して支柱６５に接続される。また、電動式リール装置５３は取付部材７３に着脱自在に取り付けられている。
【００３２】
図４，図１３に示すように、緊急時回収用紐３９は、洗浄用ボール２２に接続された第一の紐３９ａと、電動式リール装置５３に巻き取られる第二の紐３９ｂとに分離されており、水道管１を洗浄する際、第一の紐３９ａと第二の紐３９ｂとが結び付けられて連結され、一本の緊急時回収用紐３９となる。
【００３３】
図２２に示すように、緊急時回収用排水手段３０は、発進側の接続短管２３の上部のフランジ２３ａに着脱自在な排水用接続管７８と、排水用接続管７８に接続された排水用ホース７９と、排水用ホース７９を開閉する排水用弁８０と、排水用接続管７８の上端開口部を閉じるフランジ蓋８１とを有している。尚、排水用接続管７８は、縦に接続したＴ字管であり、上下両端部にフランジ７８ａ，７８ｂを有している。
【００３４】
図７，図２２に示すように、フランジ蓋８１は、排水用接続管７８の上部フランジ７８ａに着脱自在であり、中央部に貫通孔８２を有している。貫通孔８２には緊急時回収用紐３９が挿通可能であり、貫通孔８２の内部には、貫通孔８２の内周と緊急時回収用紐３９との間をシールするパッキン等のシール材８３が設けられている。シール材８３はフランジ蓋８１に螺合したねじ込み式の押え部材８４により押圧されて圧縮されている。尚、緊急時回収用紐３９はフランジ蓋８１に対して長さ方向（上下方向）に移動自在である。
【００３５】
以下、上記洗浄装置２１を用いて水道管１の内面を洗浄する洗浄方法について説明する。
（１）先ず、図８に示すように、両開閉弁２，３を閉じ、洗浄対象区間１７を断水状態（流れを遮断した状態）にする。その後、蓋１５，１６を取り外し、補修弁９，１０から消火栓１１，１２を取り外し、発進側の補修弁９の上端に接続短管２３を接続し、到達側の補修弁１０の上端に接続短管２４を接続する。この際、両補修弁９，１０を開にしておく。
【００３６】
（２）洗浄用ボール２２の注水口３５に注水用ホース３６の先端を接続し、回収用誘導紐３８と緊急時回収用紐３９の第一の紐３９ａとを洗浄用ボール２２に接続し、洗浄用ボール２２を、縮径（縮小）した状態で、発進側分岐管４１から水道管１内に挿入する。この際、第一の紐３９ａの末端部分を発進側分岐管４１内から上部外方へ抜き出しておく。
【００３７】
（３）図３に示すように、水３７を注水用ホース３６から洗浄用ボール２２の注水口３５を通じて中空部３２に所定量注入することにより、洗浄用ボール２２を膨らませて球形状に拡径（拡張）させる。これにより、図９に示すように、洗浄用ボール２２の外面（すなわちスポンジ部３４）が水道管１の内面に確実に接触した状態になる。
【００３８】
（４）注水用ホース３６を上方向に引っ張って、注水用ホース３６の先端を洗浄用ボール２２の注水口３５から取り外した後、注水用ホース３６を回収する。
（５）図７に示したフランジ蓋８１と同じ構成を有するフランジ蓋８５を発進側の接続短管２３の上部のフランジ２３ａに取り付けて接続短管２３の上端開口部を閉じる。この際、第一の紐３９ａの末端部分を、フランジ蓋８５の貫通孔８２に挿通して、発進側分岐管４１内から上部外方へ抜き出しておく。
【００３９】
（６）図１０に示すように、到達側の接続短管２４の上端に排水用接続管４３を接続し、排水用弁４５を開く。
（７）上流側の開閉弁２を開いて通水する。これにより、水道管１内の水Ｗが、洗浄対象区間１７を流れ、到達側分岐管４６を経て、排出用接続管４３から排出用配管４４に流出し外部へ排出される。このような水Ｗの流れによって、洗浄用ボール２２を発進側の縦管７の真下から下流側へ所定距離Ｂ（例えば約５０ｃｍ〜１ｍ程度）だけ移動させる。尚、上記所定距離Ｂは、緊急時回収用紐３９の第一の紐３９ａが発進側分岐管４１内に入り込んでいく長さで判断する。この際、図７に示すように、緊急時回収用紐３９の第一の紐３９ａとフランジ蓋８５との間はシール材８３によりシールされているため、発進側分岐管４１内の水Ｗがフランジ蓋８５の外部に漏出するのを防止することができる。
【００４０】
（８）図１１に示すように、水道管１内において洗浄用ボール２２を所定距離Ｂだけ移動させた後、上流側の開閉弁２を閉じ、洗浄対象区間１７を断水状態にし、フランジ蓋８５を発進側の接続短管２３のフランジ２３ａから取り外す。
【００４１】
（９）スケール等を用いて、水道管１内の底部から接続短管２３のフランジ２３ａの上面までの高さＨを測定する。水道管１の呼び径（口径）をＤとすると、第一治具本体５１の長さＬ（図４参照）が概ね下記式のような関係に保たれるように、複数種類の長さの中継ぎ管部５７ｃから最適な長さの中継ぎ管部５７ｃを選んで取り付ける。
Ｌ＝Ｈ−Ｄ／２
これにより、緊急時回収用治具２９を発進側分岐管４１に取り付けた際、下部滑車５８を水道管１の中心部付近に位置させることができる。
【００４２】
（１０）図１２に示すように、緊急時回収用紐３９の第二の紐３９ｂを、緊急時回収用治具２９の第二治具本体５２の両フランジ６３，６４の貫通孔６３ａ，６４ａと第一治具本体５１の取付用フランジ５６と管部材５７内とに挿通するとともに、下部および上部滑車５８，６６に掛ける。
【００４３】
（１１）図１３に示すように、緊急時回収用紐３９の第一の紐３９ａの末端部と第二の紐３９ｂの先端部とを結んで連結する。
（１２）図１４に示すように、第一治具本体５１の管部材５７を上方から発進側分岐管４１内に挿入する。この際、第一治具本体５１の取付用フランジ５６と発進側の接続短管２３の上部のフランジ２３ａとの間にガスケット等のシール材８６を設けておく。
【００４４】
（１３）図６，図１５に示すように、第一治具本体５１の取付用フランジ５６上に第二治具本体５２を設置し、接続短管２３のフランジ２３ａと第一治具本体５１の取付用フランジ５６と第二治具本体５２の下部のフランジ６３とを複数のボルト８７およびナット８８で連結する。
【００４５】
（１４）図１６に示すように、固定台５４を地面に設置し、電動式リール装置５３を取付部材７３に取り付ける。また、図５の実線で示すように、接続手段７６の他方の接続部材７６ｂを回動して閉じると共にロック部材７７で固定することにより、支柱６５が両接続部材７６ａ，７６ｂ間に挟まれ、図１６に示すように、軸７２が接続手段７６を介して支柱６５に接続される。この際、支持フレーム７１を昇降することにより、接続手段７６の高さを調節することができ、軸７２を軸心方向Ａに移動することで、接続手段７６の位置を支柱６５の位置に正確に合わせることができる。
【００４６】
以上のような行程により、緊急時回収用治具２９を発進側分岐管４１に取り付けることができる。
（１５）図２に示すように、捕捉用治具２７を上方から到達側分岐管４６内に挿入して取り付ける。
【００４７】
（１６）図２に示すように、下流側の開閉弁３を引き続き閉じた状態のままで、上流側の開閉弁２を開く。これにより、水道管１内の水Ｗ（流体の一例）が、開閉弁２から水道管１の洗浄対象区間１７を流れ、到達側分岐管４６を通って排水用配管４４から外部へ排水される。このため、拡径状態の洗浄用ボール２２が水圧によって水道管１内の洗浄対象区間１７を発進側から到達側へ移送され、この際、洗浄用ボール２２のスポンジ部３４が水道管１の内面を摺動することにより、水道管１の内面が洗浄される。また、このとき、洗浄用ボール２２の移送に伴って、緊急時回収用紐３９がリール装置５３から発進側分岐管４１内に送り出される。
【００４８】
（１７）図１７に示すように、洗浄用ボール２２は、到達側の縦管８の下方に達すると、捕捉用治具２７によって受け止められ捕捉される。
（１８）上流側の開閉弁２を閉じて、洗浄対象区間１７を断水させる。その後、捕捉用治具２７を到達側分岐管４６内から上方へ脱抜して取り外す。
【００４９】
（１９）図１８に示すように、銛２８を上方から到達側分岐管４６内に挿入し、銛２８の先端で洗浄用ボール２２を突き刺し破裂させて縮小させる。
（２０）図１９に示すように、破裂した洗浄用ボール２２を、銛２８の先端部に引っ掛けて、水道管１内から排水用接続管４３の上端部まで引上げ、上端開口部から取り出して回収する。これにより、水道管１の通常の洗浄作業が完了する。
【００５０】
上記のようにして通常の洗浄作業が完了した後、緊急時回収用治具２９と通常時排水手段２６と両接続短管２３，２４とを取り外し、図１に示すように、両消火栓１１，１２と両蓋１５，１６とを取り付ける。
【００５１】
（２１）また、図２に示した洗浄作業中に、万一、水道管１内の洗浄対象区間１７内で、洗浄用ボール２２が破裂するという異常事態が発生した場合、図２０に示すように、上流側の開閉弁２を閉じて洗浄対象区間１７を断水させ、リール装置５３を巻取方向へ作動させて緊急時回収用紐３９を巻き取り、水道管１内の洗浄用ボール２２を発進側の縦管７の下方まで引き戻す。尚、上記のような洗浄対象区間１７内における洗浄用ボール２２の破裂は、例えば、緊急時回収用紐３９がリール装置５３から送り出される際の送出速度が低下することで、検知される。
【００５２】
（２２）図２１に示すように、緊急時回収用紐３９を切断して第一の紐３９ａと第二の紐３９ｂとに切離し、図５の仮想線で示すように、接続手段７６の他方の接続部材７６ｂを開いて、軸７２を支柱６５から分離し、図２１に示すように固定台５４を撤去する。さらに、図６に示すように、ボルト８７およびナット８８を取り外して、緊急時回収用治具２９の第二治具本体５２を第一治具本体５１から取り外し、第一治具本体５１の管部材５７を発進側分岐管４１内から上方へ脱抜して取り外すことにより、緊急時回収用治具２９一式を撤去する。この際、図２１に示すように、第一の紐３９ａの末端部分を発進側の接続短管２３の上端開口部から外方に抜き出しておく。
【００５３】
（２３）その後、図２２に示すように、緊急時回収用排水手段３０の排水用接続管７８を発進側の接続短管２３の上部のフランジ２３ａに取り付け、フランジ蓋８１を排水用接続管７８の上部フランジ７８ａに取り付ける。この際、第一の紐３９ａの末端部分をフランジ蓋８１の貫通孔８２（図７参照）に挿通して外方に抜き出しておく。
【００５４】
（２４）第一の紐３９ａの末端部分を上方に引っ張って、洗浄用ボール２２を発進側の縦管７の下端開口部に密着させる。
（２５）図２３に示すように、下流側の開閉弁３と到達側の通常時排水手段２６の排水用弁４５とを閉じた状態で、緊急時回収用排水手段３０の排水用弁８０と上流側の開閉弁２とを開く。これにより、水Ｗが、水道管１内から発進側分岐管４１内に流れ、排水用接続管７８内から排水用ホース７９を通って外部に排出される。
【００５５】
（２６）この状態で第一の紐３９ａを引き上げることにより、洗浄用ボール２２を排水用接続管７８内の上端部まで引き上げる。この際、発進側分岐管４１内の洗浄用ボール２２は、水道管１内の水圧Ｐ（流体圧の一例）により上方向Ｃ（抜出方向の一例）へ押されて、排水用接続管７８内の上端部まで上昇する。これにより、容易に、洗浄用ボール２２を排水用接続管７８内の上端部まで引き上げることができる。
【００５６】
（２７）その後、上流側の開閉弁２を閉じて洗浄対象区間１７を断水させ、フランジ蓋８１を排水用接続管７８の上部フランジ７８ａから取り外し、洗浄用ボール２２を排水用接続管７８の上端開口部から外部へ取り出して回収する。これにより、水道管１内の洗浄対象区間１７内で洗浄用ボール２２が破裂するという異常事態が発生した場合であっても、洗浄用ボール２２を容易且つ迅速に回収することができる。
【００５７】
尚、上記のようにして洗浄用ボール２２を回収した後、緊急時回収用排水手段３０と通常時排水手段２６と両接続短管２３，２４と捕捉用治具２７とを取り外し、図１に示すように、両消火栓１１，１２と両蓋１５，１６とを取り付ける。
【００５８】
上記実施の形態では、通常の洗浄作業において、図１８，図１９に示すように、銛２８で洗浄用ボール２２を破裂させるとともに、銛２８を用いて洗浄用ボール２２を引き上げているが、銛２８の代わりに、回収用誘導紐３８を到達側分岐管４６内から引き上げることで、洗浄用ボール２２を引き上げてもよい。
【００５９】
上記実施の形態では、通常の洗浄作業において、図１７に示すように、水道管１の洗浄用ボール２２が捕捉用治具２７により捕捉されることで、洗浄用ボール２２が到達側の縦管８の下方に達したことを認識できるが、捕捉用治具２７を用いず、電動式リール装置５３の表示部６８に表示される送出距離に基いて、洗浄用ボール２２が到達側の縦管８の下方に達したことを認識してもよい。
【００６０】
上記実施の形態では、異常事態が発生した場合、図２０に示すように、モータの稼動によりリール装置５３を巻取方向へ作動させて緊急時回収用紐３９を巻き取っているが、電動から手動に切換えて、ハンドル６７（図４参照）を手動で回すことにより、緊急時回収用紐３９を巻き取ってもよい。
【００６１】
上記実施の形態では、本管の一例として水道管１を挙げたが、水道管１に限定されるものではなく、例えば下水道管等であってもよい。また、流体の一例として水Ｗを挙げたが、水Ｗに限定されるものではない。
【００６２】
上記実施の形態では、消火栓用の縦管７，８を利用して水道管１を洗浄しているが、消火栓用に限定されるものではなく、例えば、空気管用の分岐管や各種補修用の分岐管等を利用して洗浄してもよい。
【００６３】
上記実施の形態では、緊急時回収用索体の一例として緊急時回収用紐３９を用いたが、紐３９に限定されるものではなく、ロープやワイヤー等を用いてもよい。
上記実施の形態では、巻取り送出し装置の一例として電動式のリール装置５３を用いたが、手動式のリール装置を用いてもよい。
【００６４】
上記実施の形態では、図５に示すように、支柱６５を三本設けたが、三本以外の複数本又は一本であってもよい。また、軸７２を二本設けたが、二本以外の複数本又は一本であってもよい。
【符号の説明】
【００６５】
１      水道管（本管）
２２    洗浄用ボール（洗浄用部材）
２９    緊急時回収用治具
３２    中空部
３９    緊急時回収用紐（緊急時回収用索体）
４１    発進側分岐管
４６    到達側分岐管
５３    リール装置（巻取り送出し装置）
Ｃ      上方向（抜出方向）
Ｐ      水圧（流体圧）
Ｗ      水（流体）
【図１】
0005748455.tif 000002
【図２】
0005748455.tif 000003
【図３】
0005748455.tif 000004
【図４】
0005748455.tif 000005
【図５】
0005748455.tif 000006
【図６】
0005748455.tif 000007
【図７】
0005748455.tif 000008
【図８】
0005748455.tif 000009
【図９】
0005748455.tif 000010
【図１０】
0005748455.tif 000011
【図１１】
0005748455.tif 000012
【図１２】
0005748455.tif 000013
【図１３】
0005748455.tif 000014
【図１４】
0005748455.tif 000015
【図１５】
0005748455.tif 000016
【図１６】
0005748455.tif 000017
【図１７】
0005748455.tif 000018
【図１８】
0005748455.tif 000019
【図１９】
0005748455.tif 000020
【図２０】
0005748455.tif 000021
【図２１】
0005748455.tif 000022
【図２２】
0005748455.tif 000023
【図２３】
0005748455.tif 000024
【図２４】
0005748455.tif 000025